(57)【要約】      （修正有）【課題】個体差に関係なく、誰でも容易に綺麗に結び得、結んだ後の大剣部の長さが一定となるネクタイを提供する。【解決手段】ネクタイの裏面中央部よりやや大剣部寄りの位置に細幅布片５からなる位置決め帯片４を長手方向に宛がい、該細幅帯片５の両端部６を折り返し、この折り返し部７をネクタイ生地１０に縫着９して構成される。また、ネクタイ生地の合わせ目の縫合部８に、該縫合部８を跨ぐように細幅布片５を縫着９した。また、位置決め帯片４を紐状の帯片としてもよく前記縫合部８に沿って両端が縫着９される。【選択図】図２
0003156899.tif 000002
【実用新案登録請求の範囲】
【請求項１】
ネクタイ１の裏面中央部よりやや大剣部２寄りの位置に細幅布片５からなる位置決め帯片４を長手方向に宛がい、該細幅布片５の両端部６を折り返しこの折り返し部７をネクタイ生地１０に縫着９して形成したネクタイ。
【請求項２】
前記位置決め帯片４は、ネクタイ生地１０の合わせ目の縫合部８に、該縫合部８を跨ぐように細幅布片５の両端を縫着９して形成された請求項１に記載のネクタイ。
【請求項３】
前記位置決め帯片４は、ネクタイ生地１０の合わせ目の縫合部８に、該縫合部８に沿って紐状の帯片５ａの両端を縫着９して形成された請求項１に記載のネクタイ。
【考案の詳細な説明】
【技術分野】
【０００１】
本考案は、ネクタイに関し、表に現れる大剣部の長さを一定にして結ぶことができるネクタイに関する。
【背景技術】
【０００２】
ネクタイはビジネスマンの必需品であり、結んだ場合に表側に現れる大剣部の長さにより好印象を与えたりするものである。また、人により、また、ネクタイにより結び方や結んだ後の大剣部の長さは異なり、一定の長さに結ぶことは難しいものである。特に、子供の場合ネクタイを上手に結ぶことは更に難しい。また、ユニフォームや制服にネクタイを着用する場合、ネクタイの結び方が一定であることは統制が取れた好印象を与え見た目にも好ましいものでもある。
【０００３】
従来から、ネクタイを結ぶ際に好ましい長さを確保するために、大剣部と小剣部の交差箇所に予め位置決めの目安となる目印を付けておく方式が提案されている。例えば、特開平５−９３３０３号公報や、実開平５−３０１１２号公報のように幾つかの目盛りを付けた布状のものをネクタイの裏面に取り付ける方法、ネクタイの裏面に洗濯ネームや模様等のマークを付け、結ぶ際に小剣の位置を目安として該マークに当てて長さを調節するもの（実開平５−８１２１５号公報、実開平７−１０２７号公報）、位置決めの標識や目印を付けたもの（登録実用新案第３０１７５９１号公報、特開２００２−１７３８１４号公報、特開２００５−２９９０５９号公報）などが提案されている。
【先行技術文献】
【特許文献】
【０００４】
【特許文献１】特開平５−９３３０３号公報
【特許文献２】実開平５−３０１１２号公報
【特許文献３】実開平５−８１２１５号公報
【特許文献４】実開平７−１０２７号公報
【特許文献５】登録実用新案第３０１７５９１号公報
【特許文献６】特開２００２−１７３８１４号公報
【特許文献７】特開２００５−２９９０５９号公報
【考案の概要】
【考案が解決しようとする課題】
【０００５】
しかしながら、従来から提案されているものはネクタイの裏面に予め目印を付け、この目印を目安に結び位置を決める方式であり、位置決めの確実性はない。また、人により首周りの寸法は異なり、予め結び位置が決められていても首の太さ等で実際の適用には本人による調整を必要とする。
【０００６】
本考案は、このような課題を考慮してなされたものであり、個体差に関係なく、誰でも容易に綺麗に結び得、結んだ後の大剣の長さが一定となるネクタイを提供することを目的とする。
【課題を解決するための手段】
【０００７】
上記目的を達成するため、請求項１記載のネクタイは、ネクタイ１の裏面中央部よりやや大剣部寄りの位置に、細幅布片からなる位置決め帯片を長手方向に宛がい、該細幅布片の両端部を折り返してこの折り返し部をネクタイ生地に縫着して構成されている。
【０００８】
請求項２記載のネクタイは、請求項１に記載のネクタイであって、位置決め帯片はネクタイ生地の合わせ目の縫合部に、該縫合部を跨って細幅布片の両端を縫着して構成されている。
【０００９】
請求項３記載のネクタイは、請求項１に記載のネクタイであって、位置決め帯片はネクタイ生地の合わせ目の縫合部に沿って紐状の帯片の両端を縫着して構成されている。
【考案の効果】
【００１０】
本考案によれば、着用者の個体差に関係なく、ネクタイを首に掛け、裏面の位置決め帯片に小剣部を通し込むことで結び位置を確保でき、後は大剣部を結び目に沿って巻き込み結び目より表側に垂らすことで出来上がる。出来上がったネクタイの大剣部は決まったバランスの良い長さに維持される。
【図面の簡単な説明】
【００１１】
【図１】本考案の実施例を示すネクタイ全体の背面図である。
【図２】本考案のネクタイの位置決め帯片を拡大して示す説明図である。
【図３】本考案のネクタイの結び開始を示す説明図である。
【図４】本考案の位置決め帯片のその他の例を示す拡大説明図である。
【考案を実施するための形態】
【００１２】
以下、本考案を図示する実施形態により具体的に説明する。図１は、本考案のネクタイの一実施形態の背面の全体構成を示しており、ネクタイ１はバイアス生地を縫製し袋状に縫合し、大剣部２と小剣部３を帯状に構成した通常のものである。４はネクタイ１の裏面中央部よりやや大剣部２寄りに取付けられた位置決め帯片で、織りネーム状の細幅布片５の両端部６を折り返してネクタイ生地１０に宛がい、両端の折り返し部７、７のみをネクタイ生地１０に縫着９して取付けられている。
【００１３】
この位置決め帯片４、ネクタイ１の裏面において、バイアス生地の合わせ目の縫合部８にて該縫合部８を跨って長手方向に重ねられ、上下となる両端部６の折り返し部７、７がネクタイ生地１０に縫着９されている。この縫合部８を跨って両端部６が縫着されたことで位置決め帯片４はネクタイ生地１０に確実に取付けられ、使用時に小剣部３を通した場合にも位置決め帯片４がずれることがない。また、反復使用によりネクタイの合わせ目の縫合部８がずれることを防いでいる。
【００１４】
また、その他の構成は通常のネクタイと同様であるが、ネクタイ１の裏面にあってバイアス生地の合わせ目１１は１本の穴糸１２により縫い合わされ縫合部８を構成し、それぞれ大剣部２及び小剣部３の端部にて別糸によりかんぬき止め１３が施されている。１４は大剣部の裏面下方に縫着された帯状の小剣通しで、通常はブランド名を表示したネーム片として使用されている。
【００１５】
また、図４は本考案の他の実施例を示すもので、位置決め帯片４を紐状の帯片５ａとしたもので、それぞれ上下となる両端部６ａを折り返し、折り返し部７ａ、７ａがネクタイ生地１０に縫着９し取付けられている。紐状の帯片５ａは１本でも２本でもよく、縫着箇所は前記細幅布片５と同様にネクタイ生地１０の縫合部８に沿って長手方向に左右いずれか、若しくは２本である場合は縫合部８の左右に分かれて縫着９される。かくすることで紐状の帯片５ａに小剣部３が通された場合、しっかり保持することが出来、また、ネクタイ生地１０の合わせ目１１の縫合部８のずれを招かない。
【００１６】
次に本考案の作用を説明する。図３に示すように、ネクタイ１を普通に首周りに掛けまわし、小剣部３を大剣部２に交差させながら裏面の位置決め帯片４に挿通する。この後は通常のネクタイ締着動作を行い結び目を形成し、この結び目に大剣部２を挿通して表側に垂らすことでネクタイ結びが完了する。
【００１７】
本考案の場合、小剣部３を予め位置決め帯片４中に挿通するため結び方はシングルノット方式に良く適用する。その他の結び方や結び下げの長さを変えたい場合は、それぞれの結び方に合わせ、位置決め帯片４を小剣側の適切な位置に縫着することによりバランスのとれた良い結びができる。
【００１８】
本考案の実施例では、ネクタイ１の全長を市販されているネクタイの一般的長さの１４０センチメートルとし、位置決め帯片４の取り付け位置を大剣部２の先端から位置きめ帯片４の下端までの長さを６０センチメートルに設定した場合、シングルノット方式による結び方をしたときに表側に表れる大剣部２の長さは４８センチメートルとなる。この長さが着用時にバランスの取れたネクタイの標準的長さと言われている。
【００１９】
尚、首周りの太い人の場合でも上記の大剣部２の長さには変わりなく、首周りの太い分、小剣部３の長さが短くなるだけである。ネクタイを着用した場合、小剣部は大剣部に隠れその長さはあまり拘ることがないのが通例である。
【符号の説明】
【００２０】
１    ネクタイ
２    大剣部
３    小剣部
４    位置決め帯片
５    細幅布片
５ａ    紐状帯片
６、６ａ    両端部
７、７ａ    折り返し部
８    合わせ目の縫合部
９    縫着
１０  ネクタイ生地
【図１】
0003156899.tif 000003
【図２】
0003156899.tif 000004
【図３】
0003156899.tif 000005
【図４】
0003156899.tif 000006
【手続補正書】
【提出日】平成21年11月16日(2009.11.16)
【手続補正１】
【補正対象書類名】図面
【補正対象項目名】全図
【補正方法】変更
【補正の内容】
【図１】
0003156899.tif 000007
【図２】
0003156899.tif 000008
【図３】
0003156899.tif 000009
【図４】
0003156899.tif 000010